(57)【特許請求の範囲】
【請求項１】
機器筐体図形内に１つ以上の用品図形を配置し、この配置された用品図形に基づいて用品一覧表を作成する２次元図形配置装置において、
外部から入力される前記各機器筐体図形および各用品図形を格納するとともに、各用品図形に関連して入力される属性パラメータ及びマーカ位置データ等の用品関連データから各用品図形ごとの用品表、前記用品図形と前記用品表との連携データを作成する属性データ作成装置と、
ある１つの前記機器筐体図形内に各用品図形を選択的に配置するとともに、これら用品図形を個別的または対象範囲の指定によって選択し、これら選択された用品図形に対応する前記連携データから前記用品表および前記マーカ位置データを抽出して前記用品一覧表を作成し配置する２次元図形処理装置とを備えたことを特徴とする２次元図形配置装置。
【請求項２】
請求項１に記載の２次元図形配置装置において、
前記属性データ作成装置は、各用品図形に付随して入力される前記用品表に反映させる前記属性パラメータを登録する用品図作成手段と、前記属性パラメータの中から各用品図形と各用品表とを連携させる連携パラメータを取り込んで登録する用品連携作成手段と、各用品図形に対する前記マーカ位置データを設定するマーカ位置位置付加手段と、前記属性パラメータおよびマーカ位置データを用いて各用品図形の用品表を作成する用品表作成手段とを設けたことを特徴とする２次元図形配置装置。
【請求項３】
請求項１に記載の２次元図形配置装置において、
前記２次元図形処理装置は、所要の機器筐体図形内に適宜選択される各用品図形を配置する用品配置手段と、この用品配置手段によって配置された用品図形を個別的または対象範囲指定に基づいて前記用品図形の用品表候補を抽出する抽出候補選択手段と、この抽出候補選択手段によって抽出候補となった用品表候補に関し、対応する用品図形の連携パラメータから前記用品表を抽出し前記用品一覧表を作成し配置する用品表配置手段とを設けたことを特徴とする２次元図形配置装置。
【請求項４】
予め機器筐体図形、用品図形および各用品図形に関連して入力される用品関連データから作成される各用品表が格納され、特定の機器筐体図形内の用品図形配置および用品表一覧表を作成処理するプログラムを記録した記録媒体であって、コンピュータに、
所要とする前記機器筐体図形内に適宜選択される用品図形を配置する用品配置機能と、この用品配置機能によって各用品図形を配置した後に用品一覧表を作成するか否かを判断する判断機能と、この判断機能に基づいて用品一覧表を作成すると判断したとき、前記機器筐体図形内の用品図形を個別的または対象指定範囲内の用品図形の用品表候補を抽出する抽出候補選択機能と、抽出候補となった用品表に関し、対応する用品図形の用品関連データから各用品表を抽出して前記用品一覧表を作成し配置する用品表配置機能と、この用品表配置機能によって前記用品一覧表を作成した後、または前記判断機能に基づいて用品一覧表を作成しないと判断したとき、前記機器筐体図形内に配置される各用品図形または前記機器筐体図形内に配置される各用品図形および用品一覧表を含む図面を出力する図面出力機能とを実現させるためのプログラムを記録した前記コンピュータ読取り可能な記録媒体。
【発明の詳細な説明】
【０００１】
【発明の属する技術分野】
本発明は、配電盤その他各種電子機器筐体に取り付けられる器具等の２次元図形の配置設計を支援する２次元図形配置装置および記録媒体に関する。
【０００２】
【従来の技術】
一般に、配電盤を含めて各種の電子機器筐体には多数の器具（以下、用品と指称する）が取り付けられるが、操作性や人間工学上の見地から用品の配置およびその用品に関係する用品一覧表の設計等は非常に重要である。
【０００３】
そこで、従来、配電盤などの筐体図形内に複数の用品などの２次元図形を配置設計する計算機設計支援分野では、その２次元用品図形の配置および用品一覧表の設計支援するために２次元図形配置装置が用いられている。
【０００４】
図１３はかかる２次元図形配置装置の構成を示す摸式図である。
【０００５】
この２次元図形配置装置は、数値データや文字データなどを入力するキーボード装置５１、図形データなどを入力するマウス装置５２、これら両装置５１，５２の入力内容に基づいて、配電盤などに取り付ける用品図形や配置位置を設計するとともに、用品一覧表を作成する装置本体となる２次元図形処理装置５３および設計結果である配置された用品図形や用品一覧表などを表示する表示装置５４などによって構成されている。
【０００６】
この２次元図形配置装置における具体的な設計手順は、図１４に示すように予め操作者がキーボード装置５１、マウス装置５２を操作し、或いはＯＣＲ（光学式文字等読取装置)による図形イメージ読取りによって、配電盤の筐体図形データや用品図形データを作成記憶するステップＳＴ２１と、同じく操作者が両装置５１，５２を用いて、必要な筐体図形データや用品図形データを選択的に取出して表示装置５４に表示するステップＳＴ２２と、２次元筐体図形内に複数の２次元用品図形を配置決定する図形配置ステップＳＴ２３と、この用品図形の配置後に用品一覧表を作成する用品表作成ステップＳＴ２４と、これら図形配置後の２次元用品図形および作成された用品一覧表などをプリンタ等（図示せず）から出力する図面出力ステップＳＴ２５とからなっている。
【０００７】
前記図形配置ステップＳＴ２３は、具体的には、キーボード装置５１およびマウス装置５２からの入力内容に基づき、図１５に示すように２次元筐体図形６１内に複数の２次元用品図形，例えばＡ用品図形６２、複数のＢ用品図形６３，６４の配置位置を決定し筐体内の各種の２次元用品図形を作成する作業である。
【０００８】
前記用品表作成ステップＳＴ２４は、同じく図１５に示すように既に表示装置５４に表示されるＡ用品の用品表６５およびＢ用品の用品表６６内にキーボード装置５１やマウス装置５２を用いて、以下のような作業を実施する。
【０００９】
（１）  配置された各用品図形６２〜６４と用品一覧表６５，６６とを対応させるためのマーカＡ１，Ｂ１，Ｂ２を、用品図形上部に付し、さらに用品一覧表内のＮＯエリア部分にそれぞれ手入力する。
【００１０】
（２）  引き続き、筐体図形６１の原点６７を基準として用品図形の中心座標値（Ｘ，Ｙ）を表示させ、両装置５１，５２を用いてＸ寸法，Ｙ寸法を各用品一覧表６５，６６に手入力する。
【００１１】
（３）  さらに、両装置５１，５２を用いて用品図形の情報（形式，穴明番号等）を用品一覧表６５，６６に手入力する。
【００１２】
このようにしてマーカ表示および用品一覧表の作成が完了すると、２次元図形処理装置５３は、図１５に示す正面図，右側面図並びに用品一覧表からなる製図面６８をプリンタ等に出力する。
【００１３】
【発明が解決しようとする課題】
しかしながら、以上のような２次元図形配置装置では、配電盤等の図面を作成するに際し、配置後の用品図形６２〜６４と用品一覧表６５，６６とを対応させるためのマーカＡ１，Ｂ１，Ｂ２、用品図形６２〜６４の座標値ｐｔ，ｐｔ１，ｐｔ２および用品図形の情報（形式，穴明番号等）をそれぞれ各用品表６５，６６に手入力する必要があることから、図形配置等の作業性が悪いこと、用品一覧表作成時に細心の注意を払わないと入力ミスが発生する問題がある。
【００１４】
例えばマーカＡ１，Ｂ１，Ｂ２を作成する際、表示位置を指定して文字を入力するが、ユーザの要求する表現方法を満たすためには手間がかかり過ぎること、さらに用品一覧表６５，６６への転記に手間がかかり、また転記ミスが発生し易い。
【００１５】
また、各用品図形の座標値ｐｔ，ｐｔ１，ｐｔ２および各用品図形の情報（形式，穴明番号等）についても、用品一覧表６５，６６への転記作業に時間がかかると同時に転記ミスが発生し易い問題がある。
【００１６】
本発明は上記事情に鑑みてなされたもので、作業時間の短縮および低コストで２次元用品図形の配置および用品一覧表を作成する２次元図形配置装置を提供することにある。
【００１７】
また、本発明の他の目的は、２次元用品図形の配置および用品一覧表を作成するための作成処理用プログラムを記録した記録媒体を提供することにある。
【００１８】
【課題を解決するための手段】
上記課題を解決するために、本発明は、機器筐体図形内に１つ以上の用品図形を配置し、この配置された用品図形に基づいて用品一覧表を作成する２次元図形配置装置において、外部から入力される前記各機器筐体図形および各用品図形を格納するとともに、各用品図形に関連して入力される用品関連データから各用品図形ごとの用品表、用品図形と用品表との連携データを作成する属性データ作成装置と、所要とする前記機器筐体図形内に各用品図形を選択的に配置するとともに、これら用品図形を個別的または対象範囲の指定によって選択し、これら選択された用品図形に対応する前記連携データから前記用品表およびマーカ位置データを抽出し前記用品一覧表を作成する２次元図形処理装置とを設けたものである。
【００１９】
本発明は、以上のような手段を講じたことにより、属性データ作成装置にて機器筐体図形および用品図形を格納する一方、各用品図形に関連して入力される用品関連データから適宜選択的に取り込んで各用品図形の用品表の他、用品表と用品図形との連携データを自動的に作成する。
【００２０】
また、２次元図形処理装置は、特定の機器筐体図形を取出し、さらに必要な用品図形を選択的に取出して機器筐体図形内に配置した後、用品図形を個別的または外部から対象範囲を指定して選択すれば、用品図形に対応する前記連携データから前記用品表およびマーカ位置データを抽出し前記用品一覧表を自動的に作成する。
【００２１】
前記属性データ作成装置としては、例えば各用品図形に関連して入力される前記用品表に反映させる属性パラメータを登録する用品図作成手段と、前記属性パラメータの中から各用品図形と各用品表とを連携させる連携パラメータを取り込んで登録する用品連携作成手段と、各用品図形に対するマーカ位置データを設定するマーカ位置付加手段と、前記属性パラメータおよびマーカ位置データを用いて各用品図形の用品表を作成する用品表作成手段とを設けることにより、用品図作成手段にて各用品図形に関連する属性パラメータを登録した後、用品連携作成手段は、属性パラメータの中から各用品図形と各用品表とを連携させる連携パラメータを各用品表ごとに取出して登録する。また、マーカ位置付加手段では、各用品図形に対するマーカ位置データを設定すし登録する。従って、以上のような登録後、用品表作成手段では、予め定める順序に従って前記登録データから必要なデータを抽出しつつ、各用品図形ごとに自動的に用品表を作成することができる。
【００２２】
また、前記２次元図形処理装置は、機器筐体図形および用品図形の中から適宜選択される機器筐体図形内に各用品図形を配置する用品配置手段と、この配置された用品図形を個別的または外部から指定される対象範囲に基づいて前記用品図形の用品表候補を選択する抽出候補選択手段と、この抽出候補選択手段によって選択された用品表候補に対応する用品図形の連携パラメータから前記用品表を抽出して前記用品一覧表を作成し配置する用品表配置手段とを設けることにより、用品配置手段では、特定の機器筐体図形内に必要な用品図形を選択し配置した後、抽出候補選択手段は、外部から指定される対象範囲に基づき、その範囲内の用品図形の抽出候補を選択する。
【００２３】
そこで、用品表配置手段は、抽出候補となった用品図形の連携パラメータから順次用品表を抽出し所要の位置に設定すれば、機器筐体図形内に２次元的に複数の用品図形が配置され、さらに各用品図形の用品一覧表を作成することができる
【発明の実施の形態】
以下、本発明の実施の形態について図面を参照して説明する。
【００２４】
図１は本発明に係る２次元図形配置装置の一実施の形態を示す構成図である。
【００２５】
この装置は、数値データ，文字データなどを入力するキーボード装置１、図形データなどを入力するマウス装置２および数値，文字，図形等のイメージデータを読取って入力するＯＣＲ（光学式文字読取装置）３等のデータ入力手段、このデータ入力手段の指示による用品図形等作成時にデータ入力手段から各用品図形に関連して入力される用品関連データ（属性データやマーカ位置データ等）から各用品図形ごとの用品表、用品図形と用品表との連携データを作成する属性データ作成装置４、前記データ入力手段からの入力内容に基づいて、配電盤などに取り付ける用品図形やその用品図形の配置設計を行うとともに用品一覧表を作成する装置本体となる２次元図形処理装置５および設計結果である用品図形やその用品図形の配置位置および用品一覧表などを表示・出力する出力装置６などで構成されている。
【００２６】
この属性データ作成装置４は、データ入力手段から入力される筐体図形データを取り込んで筐体図形データファイル７に格納する筐体図作成部１１と、用品図形データ等の他、当該器具図形に用品一覧表に反映させるためのパラメータを付加し登録する用品図作成部１２と、この用品図作成部１２で登録された用品図形と連携するための用品種別パラメータを連携表に登録する用品連携作成部１３と、用品図形にマーカ位置データを付加するためのマーカ位置付加部１４と、用品表作成部１５とからなっている。
【００２７】
前記用品図作成部１２は、データ入力手段から入力される例えば図２に示す用品図形１６および当該用品図形１６の座標位置の基準となる位置ｐｔの他、用品図形１６を用品表に反映させるための属性データ，つまり図３に示す用品種別パラメータ１７ａ，用品形式パラメータ１７ｂ，用品穴明番号パラメータ１７ｃ，マーカ名パラメータ１７ｄを入力し、用品図形データファイル８に登録する機能をもっている。
【００２８】
前記用品連携作成部１３は、用品図形と用品表とを連携させるために、用品種別パラメータ１７ａを図４に示すごとく用品図形データファイル８の用品種別表１８に登録する。
【００２９】
前記マーカ位置付加部１４は、データ入力手段から用品図形の配置位置に対して所定の距離だけ離れた位置にマーカを付加するためのマーカ位置データを入力し、用品図形データファイル８に格納する機能をもっている。このマーカ位置データとは、マーカ表示位置を表わす座標点データであって、例えば図２に示すような用品図形１６の配置位置の座標値をｐｔ（Ｘ，Ｙ)とした時、点ｐｔよりＹ方向に＋３０の距離だけ離れた座標点ｐｍ（Ｘ，Ｙ＋３０）を意味し、この座標点ｐｍは用品図形データファイル８に登録する。
【００３０】
前記用品表作成部１５は、用品図作成部１２によって登録された各パラメータ１７ｂ，１７ｃ，１７ｄおよび器具図形１６の座標値ｐｔを、用品表図形データファイル９の図５に示す用品表１９の該当欄であるマーカ名データ欄２０ａ，用品形式データ欄２０ｂ，Ｘ座標値欄２０ｃ，Ｙ座標値欄２０ｄおよび用品穴明番号データ欄２０ｅにそれぞれ登録し、また用品図形１６の属性データの一部であるマーカ名パラメータを用品図形データファイル８上の器具図形上に登録する。
【００３１】
前記２次元図形処理装置５は、ＣＰＵによって構成され、機能的には、データ入力手段からの選択指示に基づき、各ファイル７，８から筐体図形データおよび用品図形データを選択し出力装置６に表示する図形データ選択手段２１、この出力装置６に表示された筐体図形内に必要な数の用品図形を配置する図形配置手段２２、この図形配置手段２２によって配置された用品図形の位置を計算するために筐体図形の原点を選択設定する原点指定手段２３、対象とする用品図形の用品表を抽出するために個別的または対象範囲を指定する指定手段２４、この指定手段２４によって指定された用品図形の用品表候補を抽出する対象候補選択手段２５、この候補選択手段３５で抽出された各候補の用品図形から連携データに基づいて用品表を取出して配置し対象候補の用品図形の情報を作成すると同時に用品図形上および用品一覧表にマーカを作成することにより２次元図形データを作成する用品表配置手段２６およびこの作成された２次元図形および用品一覧表である図面を出力する図面出力手段２７等が設けられている。
【００３２】
また、２次元図形処理装置５は、図６に示すプログラムを記録する記録媒体２８が設けられ、かかるプログラムを読取って以上のような各手段を実行する構成となっている。
【００３３】
次に、以上のような装置の動作および記録媒体に関する発明について図６を参照して説明する。
【００３４】
先ず、属性データ作成装置４では、予めデータ入力手段によって作成された各種の機器筐体図形データが筐体図形データファイル７に、用品図形データ(図２)および用品関連データ（図３）、用品基準座標値ｐｔ，用品位置データｐｍが用品図形データファイル８に、用品表図形データを含む用品種別表（図４）および用品表（図５）が用品表図形データファイル９にそれぞれ格納されている。
【００３５】
このような状態において、２次元図形処理装置５が動作を開始すると、操作者はデータ入力手段を操作し、筐体図形データファイル７から選択的に所要の筐体図形データを読み出し、また同様に用品図形データファイル８から選択的に用品図形データを読み出し、これら読み出した各図形を出力装置６に表示した後、図７に示すように各用品図形の配置位置を決定する（ＳＴ１〜ＳＴ３；用品配置機能）。図７において３０は筐体図形、３１はＡ用品図形、３２，３３はそれぞれＢ用品図形、３４は筐体図形の原点、３５は製図面である。
【００３６】
なお、図８（ａ）はＡ用品図形の属性データ３６であり、図８（ｂ）はＢ用品図形３２の属性データ３７である。これらデータ３６，３７等は、各用品図形と共に表示してもよく、或いは表示無しとしてもよい。
【００３７】
しかる後、各用品図形の用品一覧表を作成するか否かを判断する（ＳＴ４；作成判断機能）。ここで、データ入力手段から一覧表作成指示が入力されている場合、用品一覧表の作成であると判断し、用品図形の位置を計算するために筐体図形の原点を指定することにより、用品図形の用品表を作成する対象範囲を指定する（ＳＴ５，ＳＴ６；対象範囲指定機能）。筐体図形に配置された用品図形を個別的に選択指定してもよい。
【００３８】
よって、以上のようにして用品図形に関する抽出候補，つまり用品表候補を選択し、図９に示すような選択された用品呼出しボタン３８，３９をもつ用品一覧表表示パネル４０を表示する（ＳＴ７；抽出候補選択機能）。
【００３９】
ここで、用品表一覧表表示パネル４０の中の所要とする呼出しボタン例えば３８を選択すると、当該用品図形と連携する図４に示す用品種別表１８の用品種別パラメータから図１０に示す用品表４１を作成表示し、対象候補の用品図形の情報を入力作成すると同時に用品図形上および用品表にマーカを作成し、２次元図形データを作成する（ＳＴ８；用品表配置機能）。
【００４０】
このようにして指定された１つの用品図形の用品表を作成した後、引き続き、抽出すべき用品表候補が有るか否かを判断し（ＳＴ９）、所要とする用品表候補があれば、ステップＳＴ７に戻り同様の処理を繰返し実行し、例えば図１１に示すような用品表４２を表示し、同様に対象候補の器具図形の情報を入力作成すると同時に用品図形上および用品表にマーカを作成する。
【００４１】
さらに、用品表データ例えば用品図形の配置位置を変更する場合（ＳＴ１０）、対象候補を選択し（ＳＴ１１）、その用品表の座標値（Ｘ寸法，Ｙ寸法）を修正すれば、この修正データに従って筐体図形上に配置された用品図形が移動し、当該用品図形の配置位置を変更できる。
【００４２】
そして、ステップＳＴ４にて用品表を作成しないと判断されたとき、またステップＳＴ１０にて用品表を作成完了したとき、図面を出力するか否かを判断し、図面出力すると判断されたとき、図面を出力すると共に表示装置上の各種データを適宜な記憶手段に記憶し保存する（ＳＴ１２〜ＳＴ１４；図面出力機能）。
【００４３】
図１２は本発明装置を適用した製図面を示す図である。
【００４４】
すなわち、本装置においては、筐体図形３０に用品図形３１〜３３を配置し、筐体図形３０の原点３４を設定した後、個別的に各用品図形３１〜３３を選択または対象範囲内にて各用品３１〜３３を選択することにより、画面上に用品表一覧表示パネル４０（図９参照）を表示する。この表示パネル４０には認識した用品図形の情報を作成する用品表の呼出しボタン例えば３８，３９が候補として表示され、その１つのボタン例えば３８，３９を順次指定することにより、用品表４１，４２を自動的に作成し、かつ、各用品表内の各欄に必要な情報が記入される。
【００４５】
さらに、用品表の作成と同時に筐体図形内の用品図形上部に各用品図形のマーカ名パラメータが付される。
【００４６】
従って、以上のような実施の形態によれば、用品図形の格納時に予め当該用品図形に関連する用品関連データ，例えば用品図形と用品表とに連携するデータや用品図形座標値などを設定しておくことにより、２次元図形処理装置５では、各用品図形に対応する用品関連データを用いて自動的に用品一覧表を作成できる。
【００４７】
また、属性データ作成装置４は、各用品図形を格納する際、各用品図形が用品表に反映させるための各種パラメータや各用品図形のマーカ位置データなどを順次格納するだけで、これらデータを取り込んで各用品図形の用品表を自動的に作成でき、図面作成時の用品一覧表作成時に準備データを容易に作成できる。
【００４８】
さらに、２次元図形処理装置５においては、筐体図形内に各用品図形を配置した後、これら各用品図形を個別選択または外部からの指定に基づく対象範囲内での各用品図形の選択によって、用品図形候補を選択し、これら用品図形の連携パラメータから必要な用品表を抽出し用品一覧表を作成するので、用品図形の選択によって自動的に用品一覧表を作成できる。
【００４９】
その他、本発明はその要旨を逸脱しない範囲で種々変形して実施できる。
【００５０】
【発明の効果】
以上説明したように本発明によれば、２次元図形の作成時に簡単な操作で用品表作成およびマーカ作成作業を行うことができ、各種作成作業の手間を大幅に削減でき、人件費の低減化、低コスト化を実現できる２次元図形配置装置および記録媒体を提供できる。
【図面の簡単な説明】
【図１】  本発明に係る２次元図形配置装置記および録媒体を説明する構成図。
【図２】  マーカ位置データを説明する摸式図。
【図３】  用品図形の属性データ例を示す図。
【図４】  用品図形から用品表に連携させるための属性データを説明する図。
【図５】  用品表を説明するための摸式図。
【図６】  本発明に係る２次元図形配置装置の動作を説明するフローチャートおよび記録媒体に記録されるプログラムを説明する図。
【図７】  本発明装置によって実現される製図面を示す摸式図。
【図８】  図７に示す用品図形の属性データ例を示す図。
【図９】  用品表一覧表示パネルを示す模式図。
【図１０】  用品表例を示す模式図。
【図１１】  用品表例を示す模式図。
【図１２】  本発明装置を適用して得られた製図面を示す模式図。
【図１３】  従来の２次元図形配置装置を示す構成図。
【図１４】  従来装置の動作手順を説明する図。
【図１５】  従来装置における製図面を示す模式図。
【符号の説明】
１，２，３…データ入力手段
４…属性データ作成装置
５…２次元図形処理装置
６…出力装置
７…筐体図形データファイル
８…用品図形データファイル
９…用品表図形データファイル
２８…記録媒体
【図１】
0003737646.tif 000002
【図２】
0003737646.tif 000003
【図３】
0003737646.tif 000004
【図４】
0003737646.tif 000005
【図５】
0003737646.tif 000006
【図６】
0003737646.tif 000007
【図７】
0003737646.tif 000008
【図８】
0003737646.tif 000009
【図９】
0003737646.tif 000010
【図１０】
0003737646.tif 000011
【図１１】
0003737646.tif 000012
【図１２】
0003737646.tif 000013
【図１３】
0003737646.tif 000014
【図１４】
0003737646.tif 000015
【図１５】
0003737646.tif 000016